(57)【特許請求の範囲】
【請求項１】
扉、戸、ふた等に取付けて開閉を可とする開錠状態又は開閉を不可とする施錠状態となる錠前装置と、利用者が使用する利用者用携帯端末と、錠前管理センタ用機器と、からなる錠前システムであって、
前記利用者用携帯端末は前記錠前装置と公衆回線を介して接続される携帯端末であり、前記錠前装置は、利用者用携帯端末からの開錠／施錠状態変更を指示する利用者変更指示を受取る機能と、受取った利用者変更指示を、公衆回線を介して錠前管理センタ用機器に送る機能と、錠前管理センタ用機器からの開錠／施錠状態変更を指示するセンタ変更指示を、公衆回線を介して受取る機能と、受取ったセンタ変更指示により、開錠／施錠状態を変更する機能とを有することを特徴とする錠前システム。
【請求項２】
請求項１記載の錠前システムにおいて、
上記錠前装置は、異常を検出すると錠前管理センタ用機器に通報する機能を有することを特徴とする錠前システム。
【請求項３】
請求項１記載の錠前システムにおいて、
利用者用携帯端末からの要求により、錠前管理センタ用機器に利用者登録をし、パスワード、暗証番号、利用者携帯端末のＩＤ、錠前のＩＤ、エラー時のリトライ回数の設定、更新ができる機能を有することを特徴とする錠前システム。
【請求項４】
請求項３記載の錠前システムにおいて、
上記錠前管理センタ用機器は、利用者用携帯端末に異常情報を通報する機能を有することを特徴とする錠前システム。
【請求項５】
請求項１又は２に記載の錠前システムにおいて、
上記利用者用携帯端末は、携帯カードであることを特徴とする錠前システム。
【請求項６】
扉、戸、ふた等に取付けて開閉を可とする開錠状態又は開閉を不可とする施錠状態となる錠前装置であって、
公衆回線を介して接続される携帯端末である利用者用携帯端末からの開錠／施錠状態変更する利用者変更指示を受取る機能と、受取った利用者変更指示を、公衆回線を介して錠前管理センタ用機器に送る機能と、錠前管理センタ用機器からの開錠／施錠状態変更するセンタ変更指示を、公衆回線を介して受取る機能と、受取ったセンタ変更指示により、開錠／施錠状態を変更する機能とを有することを特徴とする錠前装置。
【発明の詳細な説明】
【０００１】
【発明の属する技術分野】
本発明は、錠前システム及び錠前装置、利用者用携帯端末と錠前管理センタ用機器並びにコンピュータ・ソフトウエアであり、特に扉、戸、ふた等に取付けて開閉を可とする開錠状態又は開閉を不可とする施錠状態となる錠前装置と、利用者が使用する利用者用携帯端末と、錠前管理センタ用機器と、からなる錠前システムに関する。
【０００２】
【従来の技術】
扉の開閉を可／不可とする部品として錠前が知られており、従来、機械的な機構のみで開錠し施錠していた。そのため、鍵の複製等や道具の使用により、不正な開錠／施錠が行われるという問題が生じていた。また、有線により錠前と錠前管理センタ用機器とを接続することも提案されているが、有線としているため、仮設場所での使用や一時的使用には適していなかった。また、有線のために切れ易く、不正使用や故障となることが多かった。
【０００３】
【発明が解決しようとする課題】
本発明は、従来技術の問題を解決するものであり、操作が簡単で、不正な開錠／施錠を無くし、また、故障となりにくい錠前システム及び錠前装置、利用者用携帯端末と錠前管理センタ用機器並びにコンピュータ・ソフトウエアを提供することを目的とする。
【０００４】
【課題を解決するための手段】
本発明は、扉、戸、ふた等に取付けて開閉を可とする開錠状態又は開閉を不可とする施錠状態となる錠前装置と、利用者が使用する利用者用携帯端末と、錠前管理センタ用機器と、からなる錠前システムであって、前記利用者用携帯端末は前記錠前装置と公衆回線を介して接続される携帯端末であり、前記錠前装置は、利用者用携帯端末からの開錠／施錠状態変更を指示する利用者変更指示を受取る機能と、受取った利用者変更指示を、公衆回線を介して錠前管理センタ用機器に送る機能と、錠前管理センタ用機器からの開錠／施錠状態変更を指示するセンタ変更指示を、公衆回線を介して受取る機能と、受取ったセンタ変更指示により、開錠／施錠状態を変更する機能とを有する錠前システムである。
【０００５】
また、本発明は、上記錠前装置は、異常を検出すると錠前管理センタ用機器に通報する機能を有する錠前システムである。
【０００７】
更に、本発明は、利用者用携帯端末からの要求により、錠前管理センタ用機器に利用者登録をし、パスワード、暗証番号、利用者用携帯端末のＩＤ、錠前のＩＤ、エラー時のリトライ回数の設定、更新ができる機能を有する錠前システムである。
【０００８】
また、本発明は、上記錠前管理センタ用機器は、利用者用携帯端末に異常情報を通報する機能を有する錠前システムである。
【０００９】
そして、本発明は、上記利用者用携帯端末は、携帯カードである錠前システムである。
【００１０】
更に、本発明は、扉、戸、ふた等に取付けて開閉を可とする開錠状態又は開閉を不可とする施錠状態となる錠前装置であって、公衆回線を介して接続される携帯端末である利用者用携帯端末からの開錠／施錠状態変更する利用者変更指示を受取る機能と、受取った利用者変更指示を、公衆回線を介して錠前管理センタ用機器に送る機能と、錠前管理センタ用機器からの開錠／施錠状態変更するセンタ変更指示を、公衆回線を介して受取る機能と、受取ったセンタ変更指示により、開錠／施錠状態を変更する機能とを有する錠前装置である。
【００１４】
【発明の実施の形態】
発明の実施の形態を説明する。
本発明の錠前システム及び錠前装置、利用者用携帯端末と錠前管理センタ用機器の実施例について、図１〜図８を用いて説明する。図１は、実施例１の錠前システムの説明図である。図２は、実施例１における錠前装置の説明図である。図３は、実施例１における錠前管理センタ用機器の説明図である。図４は、実施例１の変形例の錠前システムの説明図である。図５は、実施例１の変形例の適用例の説明図である。図６は、実施例１における登録手順の説明図である。図７は、実施例１における開錠／施錠の手順の説明図である。図８は、実施例１における異常時の手順の説明図である。
【００１５】
実施例１を説明する。本実施例の錠前システムは、図１に示すように、利用者用携帯端末１と、錠前装置２と、錠前管理センタ用機器３とからなる。
【００１６】
利用者用携帯端末１は、例えば携帯端末等であり、利用者が使用し、錠前装置２に対し、公衆回線４を介して、開錠／施錠状態変更を指示する機能を有する。
【００１７】
錠前装置２は、扉５、戸、ふた等に取付けて開閉を可とする開錠状態又は開閉を不可とする施錠状態となり、利用者用携帯端末１からの開錠／施錠状態変更する利用者変更指示を、公衆回線４を介して受取る機能と、受取った利用者変更指示を、公衆回線４を介して錠前管理センタ用機器３に送る機能と、錠前管理センタ用機器３からの開錠／施錠状態変更するセンタ変更指示を、公衆回線４を介して受取る機能と、受取ったセンタ変更指示により、開錠／施錠状態を変更する機能とを有しており、図２に示すように、通信機能部２１、暗号解読部２２、錠前駆動部２３、状態センス機能部２４、暗号作成部２５、電源部２６を備えている。通信機能部２１は、公衆回線４を介して錠前管理センタ用機器３及び利用者用携帯端末１と接続される。暗号解読部２２は、利用者用携帯端末１及び錠前管理センタ用機器３からの開錠／施錠状態変更指示信号に有するＩＤ等の暗号を解読する。錠前駆動部２３は、解読した開錠／施錠状態変更指示により、駆動部材を駆動して、開錠／施錠状態に変更する。状態センス機能部２４は、利用者用携帯端末１及び錠前管理センタ用機器３からの状態センス信号に応じて、開錠／施錠状態に関するデータを扱う。暗号作成部２５は、利用者用携帯端末１及び錠前管理センタ用機器３に送信する各種データを暗号化する。電源部２６は、錠前装置２全体の電源を供給し、また、補助電池を有している。
【００１８】
錠前管理センタ用機器３は、錠前管理センタに設置され、錠前装置２からの利用者変更指示を受取る機能と、受取った利用者変更指示により開錠／施錠状態変更を指示するセンタ変更指示を送出する機能とを有しており、利用者用携帯端末からの要求により、利用者登録をし、パスワード、暗証番号、利用者通信機端末のＩＤ、錠前のＩＤ、エラー時のリトライ回数の設定、更新ができる機能を有する。錠前管理センタ用機器３は、図３に示すように、通信機能部３１、暗号解読部３２、認証部３３、暗号作成部３４、ログ３５、データベース（ＤＢ）３６を備えている。通信機能部３１は、錠前装置２との信号のやりとりを行う。暗号解読部３２は、錠前装置２からの信号に有するＩＤ等の暗号を解読する。認証部３３は、解読したＩＤの認証を行う。暗号作成部３４は、錠前装置２へ送信する各種データを暗号化する。ログ３５は、錠前装置２とのやりとり等を記録する。データベース（ＤＢ）３６は、利用者用携帯端末のＩＤや錠前装置のＩＰ番号等の各種データを記録する。
【００１９】
なお、実施例１では、利用者用携帯端末から錠前装置２への開錠／施錠状態変更を、公衆回線４を介して行ったが、図４に示すように、錠前装置２に直接指示する方式とすることができる。この方式は、図５に示すように、例えば工事現場等で使用可能であり、柵６に取付けた錠前装置２における開錠／施錠指示を利用者用携帯端末１により行うことができる。
【００２０】
実施例１の錠前システムにおける錠前管理センタへの登録の一例について、図６を用いて説明する。
Ｓ１０１）スタートする。
Ｓ１０２）利用者からの申し込みによる利用者登録を行う。利用者用携帯端末のＩＤを登録する。
Ｓ１０３）パスワード、暗証番号を登録し、ＤＢを更新する。パスワード、暗証番号のリトライ回数を設定する。
Ｓ１０４）錠前装置のＩＰ番号を登録し、ＤＢを更新する。
Ｓ１０５）終了となる。
このようにして、錠前管理センタへ登録することができる。
【００２１】
実施例１の錠前システムにおける錠前開閉時の動作の一例について、図７を用いて説明する。
Ｓ２０１）スタートする。
Ｓ２０２）利用者用携帯端末から公衆回線を介して錠前装置を呼出す。
Ｓ２０３）利用者用携帯端末からパスワード、暗証番号を入力する。
Ｓ２０４）錠前管理センタ用機器は、錠前装置から公衆回線を介して送信されたパスワード、暗証番号を認証する。
Ｓ２０５）ＯＫか判断し、ＯＫであるとステップＳ２１１に進み、ＯＫではないと、ステップＳ３０１に進む。
Ｓ２１１）開錠か判断し、開錠であるとステップＳ２２１に進み、開錠ではないと、ステップＳ２３１に進む。
Ｓ２２１）開錠指示を錠前装置に送信する。
Ｓ２２２）開錠し、開錠情報を錠前管理センタ用機器に報告し、ステップＳ２３１に進む。
Ｓ２３１）施錠か判断し、施錠であるとステップＳ２４１に進み、施錠ではないと、ステップＳ２５１に進む。
Ｓ２４１）施錠指示を錠前装置に送信する。
Ｓ２４２）施錠し施錠情報を錠前管理センタ用機器に報告し、ステップＳ２５１に進む。
Ｓ２５１）確認か判断し、確認であるとステップＳ２６１に進み、確認ではないとステップＳ２７１に進む。
Ｓ２６１）錠前装置の状態をセンスする。
Ｓ２６２）利用者用携帯端末に送信し、ステップＳ２７１に進む。
Ｓ２７１）終了か判断し、終了であるとステップＳ２８１に進み、終了ではないとステップＳ２１１に戻る。
Ｓ２８１）ログを更新する。
Ｓ２８２）課金情報を更新する。
Ｓ２８３）課金料金回収時期か判断し、回収時期であるとステップＳ２９１に進み、回収時期ではないとステップＳ３２１に進む。
Ｓ２９１）利用者用携帯端末に利用状況報告と課金情報を送信し、ステップＳ３２１に進む。
Ｓ３０１）エラー表示し利用者用携帯端末に通報する。
Ｓ３０２）規定回数か判断し、規定回数であるとステップＳ３１１に進み、規定回数ではないとステップＳ２０３に戻る。
Ｓ３１１）錠前装置の開閉不可を利用者用携帯端末に通知し、ステップＳ３２１に進む。
Ｓ３２１）終了となる。
このようにして、錠前開閉時の動作を行うことができる。
【００２２】
実施例１の錠前システムにおける錠前障害時の処理の一例について、図８を用いて説明する。
Ｓ４０１）スタートする。
Ｓ４０２）錠前装置の異常を検出する。
Ｓ４０３）電源断か判断し、電源断であるとステップＳ４３１に進み、電源断ではないとステップＳ４１１に進む。
Ｓ４１１）強制開錠か判断し、強制開錠であるとステップＳ４３１に進み、強制開錠ではないとステップＳ４２１に進む。
Ｓ４２１）錠前管理センタ用機器からの開閉指示に従わないか判断し、指示に従わないとステップＳ４３１に進み、指示に従うとステップＳ４４１に進む。
Ｓ４３１）錠前管理センタ用機器に状態の異常を通報し、ステップＳ４４１に進む。
Ｓ４４１）終了となる。
このようにして、錠前障害時の処理を行うことができる。
【００２３】
以上説明したように、本発明の錠前システムは、ローカル通信機能を有しており、鍵穴のない錠前とすることができる。また、カメラを接続することにより、画像情報伝送機能を持たせることが可能である。電池内蔵であり、停電対応可能であり、また、電池不足時通報機能を有する。利用者用携帯端末からの開錠／施錠指示を、公衆回線を介して錠前管理センタ用機器に送信するシステムとすることにより、錠前装置から離れていても使用可能であり、また、錠前装置の近くで直接開錠／施錠指示を行うシステムとすると、利用者用携帯端末を、カードやブルートゥースを利用することができる。
【００２４】
本発明の錠前システムの特徴は、以下の通りである。
▲１▼認証するための機構を各錠前毎に持たなくて良いので、堅固で鍵穴のない錠前を実現できる。
▲２▼無線で錠前の開閉の信号を送ることにより、錠前の開閉ができる機構を有する。
▲３▼錠前の開閉する無線は、近距離又は遠距離の何れでも実現できる機能を有する。
▲４▼認証用のパスワードを任意に変更できる。
▲５▼錠前管理センタから登録された情報と顔写真、身分証明書を送付し認証できる。
▲６▼錠前にＩＰ番号を付加することにより、開錠／施錠状態変更を指示した錠前を確実に実行することができる。
▲７▼認証として、キー、カード、ボタン、指紋、光彩等を利用することができる。
【００２６】
【発明の効果】
本発明によれば、操作が簡単で、不正な開錠／施錠を無くし、また、故障となりにくい錠前システム及び錠前装置を得ることができる。
【図面の簡単な説明】
【図１】実施例１の錠前システムの説明図。
【図２】実施例１における錠前装置の説明図。
【図３】実施例１における錠前管理センタ用機器の説明図。
【図４】実施例１の変形例の錠前システムの説明図。
【図５】実施例１の変形例の適用例の説明図。
【図６】実施例１における登録手順の説明図。
【図７】実施例１における開錠／施錠の手順の説明図。
【図８】実施例１における異常時の手順の説明図。
【符号の説明】
１  利用者用携帯端末
２  錠前装置
２１  通信機能部
２２  暗号解読部
２３  錠前駆動部
２４  状態センス機能部
２５  暗号作成部
２６  電源部
３  錠前管理センタ用機器
３１  通信機能部
３２  暗号解読部
３３  認証部
３４  暗号作成部
３５  ログ
３６  ＤＢ
４  公衆回線
５  扉
６  工事現場の柵
【図１】
0003729760.tif 000002
【図２】
0003729760.tif 000003
【図３】
0003729760.tif 000004
【図４】
0003729760.tif 000005
【図５】
0003729760.tif 000006
【図６】
0003729760.tif 000007
【図７】
0003729760.tif 000008
【図８】
0003729760.tif 000009